(57)【要約】【課題】意匠性が高く電気器具の配置などの設計変更が容易に行える電気器具及び器具保持部材を提供する。【解決手段】照明器具１（電気器具）は、例えば断面が略正方形であって中央が空洞の細長い形状に形成されたライティングダクト４（器具取付部材）に脱着自在に装着され、ライティングダクト４を介して動作電力の供給を受ける。照明器具１の給電プラグ３は、ライティングダクト４の取付溝４１に挿入される平板状のロックプレート３２（係止片）と、ロックプレート３２を取付溝４１へ押し込むよう伸縮するスプリング３３（弾性体）と、操作に応じてロックプレートを外側に押す取外操作片３４（取外操作部）とを備える。また給電プラグ３は、給電プラグ３をライティングダクト４に装着した状態で、取付溝４１に設けられた給電用電極４２と電気的に接続される集電端子３５を備える。【選択図】図１
2012015075.tif 000002
【特許請求の範囲】
【請求項１】
長手方向に延びる取付溝が両側面に設けられ、この取付溝の溝内に給電用電極が設けられた器具取付部材に脱着自在に装着される給電プラグと、前記給電プラグに保持され、この給電プラグを介して動作電力の供給を受ける器具本体とを備え、
前記給電プラグには、前記取付溝に挿入される平板状の係止片と、前記係止片を前記取付溝側へ押す方向の弾性力を前記係止片に与える弾性体と、操作に応じて前記係止片を前記取付溝から外側に押し出す取外操作部と、前記係止片が取付溝に挿入された状態で前記給電用電極と当接し、前記器具本体への給電路を形成する集電用電極とが設けられたことを特徴とする電気器具。
【請求項２】
前記器具本体は、前記給電プラグの前記器具取付部材への取付方向を回転軸方向として、非固定位置と固定位置との間で回動するよう前記給電プラグに保持され、
この給電プラグが前記器具取付部材に装着された状態で、前記器具本体を回動位置から固定位置に向けて回動させると、この器具本体が軸方向に沿って前記器具取付部材側に変位することで器具本体が前記器具取付部材に圧接して、前記給電プラグ及び前記器具本体の前記器具取付部材の長手方向への移動を抑制する器具固定部を有することを特徴とする請求項１記載の電気器具。
【請求項３】
前記電気器具は、光源と、光源を点灯させるための点灯回路とを備えた照明器具であることを特徴とする請求項１又は２の何れか一項に記載の電気器具。
【請求項４】
前記請求項１〜３の何れか一項に記載の電気器具を装着可能であって、長手方向に延びる取付溝が両側面に設けられ、この取付溝の溝内に給電用電極が設けられた器具取付部材。
【発明の詳細な説明】
【技術分野】
【０００１】
本発明は、例えばライティングダクトなどの器具取付部材と、この器具取付部材に装着される照明器具などの電気器具に関するものである。
【背景技術】
【０００２】
従来、上述のような電気器具及び器具取付部材を用いた例として、給電用の電極を有するライティングダクトと、ライティングダクトに装着され、電力の供給を受けて点灯する照明器具を用いた照明システムが提案されている（例えば、特許文献１を参照）。
【０００３】
この特許文献１に記載された照明システムでは、細長い形状に形成されたライティングダクトの下面に、照明器具を装着する為のプラグを係合して保持する保持部が設けられている。またライティングダクトは、長手方向に沿って一対の給電用電極を有し、照明器具に給電した状態で照明器具をライティングダクトの形状に沿って移動させることができる。
【０００４】
また、従来の照明器具及びライティングダクトは、AC100V給電のため、内線規定により凹部（保持部）を下側に向けた状態で天井面に取り付けるよう規定されている。また壁面に取り付ける場合であっても、例えば床上1800mm以上の位置に設置するよう規定されている。このため、天井面にライティングダクトを設置した場合、ライティングダクトの下面には上述のように保持部や給電用電極が設けられているので、照明器具が装着されていない部位の保持部や給電用電極が見えて意匠性が低くなるという課題があった。
【０００５】
そこで、給電用の電極と照明器具を保持する為の保持部をライティングダクトの側面側に設け、天井面などに設置された場合であっても意匠性を高めた照明器具及びライティングダクトが提案されている（例えば、特許文献２を参照）。
【先行技術文献】
【特許文献】
【０００６】
【特許文献１】登録実用新案第３１１０９２５号公報
【特許文献２】特開２００９−３２５７２号公報
【発明の概要】
【発明が解決しようとする課題】
【０００７】
ところで、この種の照明システムにおいて、例えば直流30V以下の低圧電力を受電して点灯する低圧用の照明器具を用いる場合には、感電などの危険性がないことからライティングダクトを低所に設置したり、壁面に鉛直方向に沿うよう配置することが考えられる。
【０００８】
例えば壁面に鉛直方向に沿うようライティングダクトを配置する場合において、上述のようなライティングダクトを用いると、ライティングダクトに照明器具が固定されていないために照明器具が自重により下方側に移動するという問題があった。
【０００９】
また、側面側に係止片や給電用電極を設けたライティングダクトを用いた場合には、意匠性は高まるものの、複数の照明器具を取り付けた場合には、ライティングダクトの端部分からスライドさせて照明器具を順番に装着する必要がある。そのため、照明器具の順序を変更する場合には一度照明器具を取り外してから順序を入れ替えて再度装着する必要があり、非常に手間がかかる作業であった。
【００１０】
本発明は、上記事由に鑑みて為されたものであり、その目的とするところは、意匠性が高く、電気器具の配置変更などの設計変更が容易に行える電気器具を提供することにある。
【課題を解決するための手段】
【００１１】
上記目的を達成するために、本願の電気器具は、長手方向に延びる取付溝が両側面に設けられ、この取付溝の溝内に給電用電極が設けられた器具取付部材に脱着自在に装着される給電プラグと、給電プラグに保持され、この給電プラグを介して動作電力の供給を受ける器具本体とを備え、給電プラグには、取付溝に挿入される平板状の係止片と、係止片を取付溝側へ押す方向の弾性力を係止片に与える弾性体と、操作に応じて係止片を取付溝から外側に押し出す取外操作部と、係止片が取付溝に挿入された状態で給電用電極と当接し、器具本体への給電路を形成する集電用電極とが設けられたことを特徴とする。
【００１２】
この電気器具において、器具本体は給電プラグの器具取付部材への取付方向を回転軸方向として、非固定位置と固定位置との間で回動するよう給電プラグに保持され、この給電プラグが器具取付部材に装着された状態で、器具本体を回動位置から固定位置に向けて回動させると、この器具本体が軸方向に沿って器具取付部材側に変位することで器具本体が器具取付部材に圧接して、給電プラグ及び器具本体の器具取付部材の長手方向への移動を抑制する器具固定部を有することが好ましい。
【００１３】
また、本願の電気器具として、光源と光源を点灯させるための点灯回路とを備えた照明器具を採用することができる。
【００１４】
また、本願の器具取付部材は、上述のような電気器具を装着可能であって、長手方向に延びる取付溝が両側面に設けられ、この取付溝の溝内に給電用電極が設けられたことを特徴とする。
【発明の効果】
【００１５】
本願発明によれば、例えば壁面の鉛直方向に沿って配置した場合であっても自重によって下側に移動することなく、意匠性が高く、器具の配置変更などの設計変更を容易に行うことができる。
【図面の簡単な説明】
【００１６】
【図１】本発明の実施の形態にかかる照明器具及びライティングダクトを示す概略斜視図である。
【図２】同ライティングダクトを示す概略斜視図である。
【図３】同照明器具を構成する給電プラグを示す概略斜視図である。
【図４】同照明器具を構成する給電プラグと器具本体の接続構造を説明する為の概略断面図である。
【図５】同照明器具及びライティングダクトの別例を示し、（ａ）はライティングダクトを示す断面図、（ｂ）は給電プラグを示す概略斜視図である。
【図６】同照明器具及びライティングダクトのさらに別例を示し、（ａ）はライティングダクトを示す断面図、（ｂ）は給電プラグを示す概略斜視図である。
【図７】同照明器具における給電プラグと器具本体との接続構造の別例を示し、（ａ）は器具本体を示す概略正面図、（ｂ）は給電プラグを示す概略断面図である。
【発明を実施するための形態】
【００１７】
以下に本発明の技術思想を照明器具及びライティングダクトに適応した実施の形態について、図１〜図７を用いて説明を行う。
【００１８】
本実施の形態にかかる照明器具１は、例えば発光ダイオードなどの光源を備え（図示せず）、宅内に配線された直流電源（図示せず）から例えば電圧値が30V以下の直流電力の供給を受けて動作する。この照明器具１は、図１に示されるように、細長い形状に形成されたライティングダクト４に装着され、ライティングダクト４を介して直流電源からの直流電力の供給を受けて動作する。
【００１９】
ライティングダクト４は、図２に示すように、断面が矩形状であって中央が空洞の細長い形状に形成されており、細長い板状に形成されたアルミニウムや合成樹脂素材などを接合して形成されている。なおライティングダクト４は、照明器具１がライティングダクト４を挟んだ状態で装着できる程度に細く形成されていれば良く、断面の形状を矩形に限定するものではない。
【００２０】
またライティングダクト４の両側面には、長手方向に沿ってライティングダクト４の内部側に窪んだ溝状の取付溝４１、４１がそれぞれ形成されている。また取付溝４１、４１のライティングダクト４の内部側の内面には、一端が外部の直流電源と電気的に接続される給電用電極４２、４２がそれぞれ配置されている。なお、直流電源と給電用電極４２、４２との間の配線や、ライティングダクトを設置する為の器具などは、ライティングダクト４の内部の空間に収納されている。
【００２１】
照明器具１は、光源（図示せず）及び光源を点灯させる点灯回路（図示せず）を内蔵し、合成樹脂により略円柱状に形成された器具本体２と、器具本体２をライティングダクト４に装着して、器具本体２に動作電力を供給する給電プラグ３とを備える。
【００２２】
器具本体２は、円筒形上に形成され、軸方向（図中のＸ軸）の一方側にレンズなどが配置されており、光源からの光を外部に照射する。また器具本体２の軸方向の他方側には、断面が他の部位の断面よりも小さな同心円からなる円柱状の取付部２１が形成されている。この取付部２１には、径方向に突出した１対の取付突起２２が取付部２１の対角線上に位置するよう形成されており、この取付突起２２の先端には、点灯回路と電気的に接続された受電端子２３がそれぞれ設けられている（図４（ａ）を参照）。この器具本体２を給電プラグ３に取り付けた状態でライティングダクト４に給電プラグ３を装着することで、給電プラグ３を介して点灯回路に動作電力が供給される。
【００２３】
給電プラグ３は、図３に示すように一対の枠片３０、３０からなり、この枠片３０、３０を組み合わせることで中央が開口した略矩形枠状に形成される。各枠片３０は、ライティングダクト４に取り付ける際において、ライティングダクト４の長手方向と平行する略角柱状の保持片３１の両端部がライティングダクト４側に脚部３８、３８を突出させた略コ状に形成されている。この枠片３０、３０を互いに向かい合わせた状態で、脚部３８、３８に設けられた設けられたネジ孔３８ａの両側からネジとナットにより締め付けることで枠片３０、３０を組み合わせることができる。ここで、組み立てられた状態における枠片３０、３０の保持片３１、３１との間隔は、ライティングダクトの長手方向と直交する方向の幅よりもやや広い間隔に設定されており、この保持片３１、３１の間にライティングダクトを配置可能にしている。
【００２４】
また保持片３１は、平板状に形成されたロックプレート３２、コイルバネなどの弾性を有するスプリング３３、及び、ロックプレート３２を外側に押す取外操作片３４が配置される本体部３１ｂと、本体部３１ｂの表面を覆うカバー部３１ａからなる。ロックプレート３２の厚み寸法は、ライティングダクト４に設けられた取付溝４１の幅と略等しい寸法に設定されており、その先端は給電プラグ３の内側から外側に向けて徐々に厚みが厚くなるよう傾斜している。またロックプレート３２の先端側（給電プラグ３の内側）の側面には、後述する給電端子３７と電気的に接続され、ライティングダクト４から器具本体２への給電路を形成する集電端子３５が設けられている。
【００２５】
スプリング３３は、本体部３１ｂの内壁とロックプレート３２との間に配置され、その弾性力によってロックプレート３２が給電プラグ３の内側に押し出されるように設定されている。また、スプリング３３が圧縮されてロックプレート３２が保持片３１の内部側に押し込まれた状態において、対向するロックプレート３２の間隔がライティングダクト４の幅よりもやや大きな幅となるように設置されている。
【００２６】
取外操作片３４は、例えばロックプレート３２と略等しい厚みの平板状に形成されており、各保持片３１に設けられた一対の取外操作片３４を保持片３１の内側に押し込むよう操作することで、ロックプレート３２を後方側に移動するよう配置されている。すなわち、取外操作片３４を保持片３１の内側に向けて押し操作することで、スプリング３３がロックプレート３２により圧縮されて、ロックプレート３２が保持片３１の内部に押し込まれ、ライティングダクト３から給電プラグ３を取り外すことができる。
【００２７】
また各枠片３０は、枠体３０、３０を組み立てた際の内側が器具本体２の取付部２１の径と略等しい径の円弧状に形成されており、下方側が内側に突出した略Ｌ字状の保持溝３６が枠片３０の内周に沿って形成されている。この保持溝３６の下側内壁は、脚部３８の先端に近づくにつれて上方側に傾斜した形状に形成されている。ここで脚部３８の先端付近における保持溝３６の溝幅は、取付突起２２の厚み寸法よりもやや長い寸法に設定されている。
【００２８】
また保持溝３６の下側内壁には、図４（ｂ）に示すように、突出部位における先端側に給電用端子３７が設けられている。この給電用端子３７は、上述のように集電用端子３５と電気的に接続されており、受電端子２３と接触することで集電用端子３５側から供給される電力を受電端子２３を介して器具本体２内部の点灯回路に供給する。
【００２９】
ここで、照明器具１をライティングダクト４に装着する方法について説明を行う。まず、器具本体２の取付突起２２、２２を保持溝３６の下側内壁の上側に載せた状態で、給電プラグ３の枠片３０、３０を組み合わせ、枠片３０に設けられたネジ孔３８ａを用いてネジとナットにより枠片３０、３０を組み立てる。これにより、器具本体２は枠片３０、３０からなる給電プラグ３に保持された状態となる。
【００３０】
次に、保持片３１、３１がライティングダクト４の長手方向と平行となる状態で、ライティングダクト４の下面側から給電プラグ３をライティングダクト４に装着する。この時、各ロックプレート３５の上面は先端部にかけて傾斜しているので、給電プラグ３をライティングダクト４に押し当てることで、ロックプレート３５は保持片３１側に移動し、ライティングダクト４に給電プラグ３を容易に装着できる。また、スプリング３３の復帰力によってロックプレート３２が内側に押し出され、ライティングダクト４の取付溝４１にロックプレート３２が挿入され、取付溝４１の給電用電極４２とロックプレート３２に設けられた集電端子３５とが接触する。これにより、給電用電極４２と集電端子３５とが電気的に接続されるとともに、取付溝４１の内壁によってロックプレート３２の移動が抑制され、ライティングダクト４に照明器具１が保持される。
【００３１】
またこの状態では、器具本体２及び給電プラグ３はライティングダクト４に固定されておらず、ライティングダクト４の長手方向に沿って移動でき、所望の位置に照明器具１を移動させる。その後、照明器具１を所望の位置まで移動させた状態で、器具本体２を軸を中心として取付突起２２が枠片３０、３０の接合部の近くになるまで回動させる。ここで、保持溝３６の下側内壁は脚部３８の先端、すなわち枠片３０、３０の接合部に近づくにつれて下側内壁が上側に傾斜しているので、取付突起２２がライティングダクト４側に変位する。さらに取付突起２２が脚部３８の先端付近に移動するまで器具本体２を回動させると、取付突起２２が保持溝３６の下側内壁を押圧し、保持溝３６がその復帰力によって取付突起２２をライティングダクト４側に押圧する。
【００３２】
これにより、取付突起２２を含む取付部２１がライティングダクト４を圧接し、照明器具２がライティングダクト４の長手方向に沿って移動することが抑制され、照明器具２がライティングダクト４に固定される。この時、取付突起２２の下側には受電端子２３が設けられており、保持溝の下側内壁の上側には給電端子３７が設けられているので、受電端子２３と給電端子３７が物理的に接触して電気的に接続する（図４（ａ）、（ｂ）を参照）。
【００３３】
このようにして、照明器具１は、給電プラグを操作することでライティングダクト４に脱着自在に装着でき、照明器具１の配置順序を変更する場合にかかる手間を低減することができる。またライティングダクト４は、給電用電極４２や取付溝４１が側面側に配置されているので、ライティングダクト４を天井面に配置した場合であっても、意匠性が低下することを回避することができる。
【００３４】
また、ライティングダクト４に照明器具１を取り付けた状態で、照明器具１の器具本体２を軸を中心に回動させることで給電プラグ３が撓み、ライティングダクト４に照明器具１を固定することができる。これにより、例えばライティングダクト４を壁面の鉛直方向に沿って配置した場合であっても、照明器具１が自重によって下側に移動することを無くすことができる。
【００３５】
なお、給電用電極４２及び集電端子３５の配置位置は、上述のような位置に限定されるものではなく、例えば図５（ａ）（ｂ）及び図６（ａ）（ｂ）に示されるような位置に配置するようにしても良い。図５に示す例では、ライティングダクト４の取付溝４１の下側内壁に給電用電極４２を設け、給電プラグ３のロックプレート３２の下側面に集電端子３５を設けている。図６に示す例では、ライティングダクト４の取付溝４１の上側内壁に給電用電極４２を設け、給電プラグ３のロックプレート３２の上側面に集電端子３５を設けている。何れの例においても、ロックプレート４に給電プラグ３を装着することで、給電用電極４２と集電端子３５とが物理的に接触し、器具本体２内の点灯装置への給電路を形成することが出来る。
【００３６】
また図７（ａ）に示すように、器具本体２の取付突起２２の突出方向の先端に受電端子２３を設けるとともに、図７（ｂ）に示すように、保持溝３６の内面側に給電端子３７を設けるようにしてもよい。この場合には、各端子２３、３７をそれぞれ外側に突出させ、可撓性を有するように配置することで、互いの端子２３、３７の接触強度を高めることができる。
【００３７】
なお、本実施の形態では照明器具及びライティングダクトを例に説明したが、本願の技術的思想を他の電気器具に適用してもよいことは言うまでもない。
【符号の説明】
【００３８】
１          照明器具（電気器具）
２          器具本体
２２        取付突起
２３        受電端子
３          給電プラグ
３０        枠片
３１        保持片
３２        ロックプレート（係止片）
３３        スプリング（弾性体）
３４        取外操作片（取外操作部）
４          ライティングダクト（器具取付部材）
４１        取付溝
４２        給電用電極
【図１】
2012015075.tif 000003
【図２】
2012015075.tif 000004
【図３】
2012015075.tif 000005
【図４】
2012015075.tif 000006
【図５】
2012015075.tif 000007
【図６】
2012015075.tif 000008
【図７】
2012015075.tif 000009